(57)【要約】再送制御方法、送信機、及び受信機。本方法は、ＭＩＭＯ受信機で符号化データ・パケットの復号に失敗したことを示すＮＡＣＫ信号をＭＩＭＯ送信機で受信するステップと、復号に失敗したデータ・パケットの一つ以上の送信された空間的データ・ストリームに関連した信頼性測定結果を受信するステップと、信頼性測定結果を少なくとも一つの所定のしきい値と比較するステップと、信頼性測定結果と少なくとも一つの所定のしきい値との比較に基づいて、再送プロトコルを選択するステップとを有する。
2010517418.tif 000002
【特許請求の範囲】
【請求項１】
ＭＩＭＯ受信機で符号化データ・パケットの復号に失敗したことを示すＮＡＣＫ信号をＭＩＭＯ送信機で受信するステップと、
前記復号に失敗したデータ・パケットの一つ以上の送信された空間的データ・ストリームに関連した信頼性測定結果を受信するステップと、
前記信頼性測定結果を少なくとも一つの所定のしきい値と比較するステップと、
前記信頼性測定結果と前記少なくとも一つの所定のしきい値との比較に基づいて、再送プロトコルを選択するステップと、
を有する再送制御方法。
【請求項２】
選択した再送プロトコルに従って前記データ・パケットを再送するステップをさらに有する、請求項１に記載の再送制御方法。
【請求項３】
前記再送プロトコルは、チェイス合成プロトコルまたは増加的冗長性プロトコルを含んでなる、請求項１または請求項２に記載の再送制御方法。
【請求項４】
前記信頼性測定結果は、システム・ビットにかかわる要素とパリティ・ビットにかかわる要素を含んでなる、請求項３に記載の再送制御方法。
【請求項５】
前記システム・ビットにかかわる要素は、ＳＣＷ  ＭＩＭＯ送信において前記復号に失敗したデータ・パケットの各データ・ストリームに関連したシステム・ビットの信頼性データを含んでなり、前記パリティ・ビットにかかわる要素は、前記復号に失敗したデータ・パケットのパリティ・ビットの信頼性データを含んでなる、請求項４に記載の再送制御方法。
【請求項６】
前記再送プロトコルの選択は、
前記システム・ビットの信頼性データがシステム・ビットのしきい値よりも高い場合は、再送データ・パケット用に増加的冗長性プロトコルを選択することを含み、または
前記システム・ビットの信頼性データが前記システム・ビットのしきい値以下である場合は、再送パケット用にチェイス合成プロトコルを選択することを含む、
請求項５に記載の再送制御方法。
【請求項７】
前記方法は、
前記パリティ・ビットの信頼性データがパリティ・ビットのしきい値以下である場合は、前記チェイス合成プロトコルを使用した再送データ・パケットには、最初の送信に比べて低下させた符号化率を選択することをさらに含み、または
前記パリティ・ビットの信頼性データが前記パリティ・ビットのしきい値よりも高い場合は、前記チェイス合成プロトコルを使用した再送データ・パケットには、最初の送信に比べて同じ符号化率を選択することをさらに含む、
請求項６に記載の再送制御方法。
【請求項８】
前記方法は、
前記システム・ビットの信頼性測定結果データが前記システム・ビットのしきい値よりも高い場合は、前記再送データ・パケットを前記チェイス合成プロトコルを使用した最初の送信のときと同じアンテナを介する複数のデータ・ストリームに分割することをさらに含み、または
前記システム・ビットの信頼性データが前記システム・ビットのしきい値よりも高い場合は、前記データ・パケットを前記チェイス合成プロトコルを使用した最初の送信のときとは異なるアンテナを介する複数のデータ・ストリームに分割することをさらに含む、
請求項６または請求項７に記載の再送制御方法。
【請求項９】
前記再送データ・パケットの分割は、低下させた符号化率または同じ符号化率の選択後に行われる、請求項７または請求項８に記載の再送制御方法。
【請求項１０】
前記システム・ビットにかかわる要素は、復号に失敗した各個のデータ・パケットのＭＣＷ  ＭＩＭＯ送信におけるすべてのデータ・ストリームに関連したシステム・ビットの信頼性データを含んでなり、前記パリティ・ビットにかかわる要素は、ＭＣＷ  ＭＩＭＯシステムにおける前記すべてのデータ・ストリームに関連したパリティ・ビットの信頼性データを含んでなる、請求項５に記載の再送制御方法。
【請求項１１】
前記再送プロトコルの選択は、
前記システム・ビットの信頼性データがシステム・ビットのしきい値よりも高い場合は、再送データ・パケット用に増加的冗長性プロトコルを選択することを含み、または
前記システム・ビットの信頼性データが前記システム・ビットのしきい値以下である場合は、再送パケット用にチェイス合成プロトコルを選択することを含む、
請求項１０に記載の再送制御方法。
【請求項１２】
前記方法は、
前記パリティ・ビットの信頼性データがパリティ・ビットのしきい値以下である場合は、前記チェイス合成プロトコルを使用した再送データ・パケットには、最初の送信に比べて低下させた符号化率を選択することをさらに含み、または
前記パリティ・ビットの信頼性データが前記パリティ・ビットのしきい値よりも高い場合は、前記チェイス合成プロトコルを使用した再送データ・パケットには、最初の送信に比べて同じ符号化率を選択することをさらに含む、
請求項１１に記載の再送制御方法。
【請求項１３】
前記信頼性測定結果は、復号に失敗した初期送信データ・パケットの、または復号に失敗した初期送信データ・パケットと一つ以上の再送された符号化データ・パケットの組合せの、復調された各個のシステム・ビットとパリティ・ビットのそれぞれの対数尤度比（ＬＬＲ）の大きさに基づく、請求項１から請求項１２のいずれかに記載の再送制御方法。
【請求項１４】
前記信頼性測定結果は、それぞれのＬＬＲの平均の大きさに基づく、請求項１３に記載の再送制御方法。
【請求項１５】
前記信頼性測定結果は、それぞれのＬＬＲの大きさが最も低い、最小の信頼性のシステム・ビットと最小の信頼性のパリティ・ビットに基づく、請求項１１に記載の再送制御方法。
【請求項１６】
ＭＩＭＯ通信システム用の送信機であり、
符号化データ・パケットの復号に失敗したことを示すＮＡＣＫ信号を受信するための手段と、
前記復号に失敗したデータ・パケットの一つ以上の送信された空間的データ・ストリームに関連した信頼性測定結果を受信するための手段と、
前記信頼性測定結果を少なくとも一つの所定のしきい値と比較するための手段と、
前記信頼性測定結果と前記少なくとも一つの所定のしきい値との比較に基づいて、再送プロトコルを選択するための手段と、
を具備する送信機。
【請求項１７】
ＭＩＭＯ通信システム用の受信機であり、
符号化データ・パケットを受信するための手段と、
復号に失敗したデータ・パケットの一つ以上の空間的データ・ストリームに関連した信頼性測定結果を作成するための手段と、
前記復号に失敗したデータ・パケットの復号失敗を示すＮＡＣＫ信号と前記信頼性測定結果を前記符号化データ・パケットの送信にかかわった送信機に送信するための手段と、
を具備する受信機。
【発明の詳細な説明】
【技術分野】
【０００１】
本発明は、広義には、多重入出力（ＭＩＭＯ）無線通信システムにおいてデータ・パケットを送信するための再送制御方法に関係する。本発明はまた、ＭＩＭＯ無線通信システム用の送信機とＭＩＭＯ無線通信システム用の受信機にも関係する。
【背景技術】
【０００２】
ＭＩＭＯ無線通信システムにおいては、送信の信頼性向上のためにハイブリッド自動再送要求（ＨＡＲＱ）という手法が広く採用されている。ＨＡＲＱ手法を採用する典型的な実現形態では、送信機は、エラー検出用の巡回冗長検査（ＣＲＣ）ビットを付けて各データ・パケットを送信する。受信機では、送信された個々のデータ・パケットの内容の正しさが、ＣＲＣによって確認される。受信したデータ・パケットがＣＲＣ確認をパスしない場合には、受信機は、再送を要求するために否定応答（ＮＡＣＫ）信号を送信機へフィードバックする。この要求を受信すると、送信機は、すでに前に受信されたが復号に失敗したデータ・パケットを再送する。その後、受信機は、復号性能を高めるために、再送されたデータ・パケットを前に受信したデータ・パケットと合成する。他方、 受信したデータ・パケットがＣＲＣ確認をパスする場合には、受信機は、当該データ・パケットの受信と復号が成功したことを応答するために、肯定応答（ＡＣＫ）信号を送信機へ返送する。
【０００３】
二つの代表的なＨＡＲＱ手法またはデータ・パケット送信プロトコルがある。すなわち、チェイス合成（Chase combining）プロトコルと増加的冗長性（Incremental Redundancy）（ＩＲ）プロトコルである。チェイス合成プロトコルによると、送信機がＮＡＣＫ信号を受信後、復号に失敗した前回のデータ・パケットが単純に再送される。ＩＲプロトコルに従うと、後続の再送においてシステム情報の復号化を助けるためにより多くの冗長性を提供するように、前回送信したデータ・パケットに含まれたものとは異なるパリティ情報のみが漸進的に再送される。
【０００４】
ＩＲプロトコルに基づく各再送では、送信機は自己復号可能ではないデータ・パケットを送信する。受信機では、ＩＲプロトコルによれば、すべてのデータ・パケット（最初に送信されたデータ・パケットと再送されたデータ・パケット）が合成され、より低い速度で復号される。その結果、ＩＲプロトコルでは、より多くの冗長性を提供することによって、システム情報を復号するための符号化利得が得られる。一方、チェイス合成プロトコルでは、最初のデータ・パケットの複数のコピーを合成することによって、復号性能を高めるためのエネルギー利得がもたらされる。
【０００５】
実際面では、受信された符号化データ・パケットのうちで正しく復号されないものでも、廃棄されずに受信機に保存されることが多い。そして、再送された符号化データ・パケットの受信時に、前の符号化データ・パケットからの情報と再送された符号化データ・パケットからの情報が、デコーダに供給される前に合成されて、復号が成功する可能性を高くする。
【０００６】
無線通信システムの送信能力は、複数の送信アンテナ（ＮＴ）と複数の受信アンテナ（ＮＲ）を使用するＭＩＭＯ通信チャネル上での複数の空間的データ・ストリームの同時送信によって増強され得る。同時に送信されたデータ・ストリームは、一つの符号化データ・パケット（単一の符号語、ＳＣＷ  ＭＩＭＯ）に属する場合もあるし、または異なる符号化データ・パケット（複数の符号語、ＭＣＷ  ＭＩＭＯ）に属する場合もある。ここで、符号語は符号化データ・パケットに相当する。ＳＣＷ  ＭＩＭＯシステムでは、送信機において、一つの符号化データ・パケットが複数の（空間的な）データ・ストリームに分割されて、複数の送信アンテナを介してそれぞれに送信される。ＳＣＷ  ＭＩＭＯシステムの受信機では、検出されたすべてのデータ・ストリームを単一のデータ・パケットに多重化し、このデータ・パケットを、復号化とＣＲＣ確認をそれぞれ行なうチャネル・デコーダとＣＲＣ検査モジュールを通過させる。その後、送信データ・パケットの受信品質を応答するために、ＡＣＫ／ＮＡＣＫ信号がＳＣＷ  ＭＩＭＯシステムの送信機へ送信される。他方、ＭＣＷ  ＭＩＭＯでは、各（空間的）データ・ストリームは、独立に符号化されたデータ・パケットに属する。複数の符号化データ・パケットの複数のデータ・ストリームが、複数の送信アンテナ（ＮＴ）から独立に送信される。ＭＣＷ  ＭＩＭＯの受信機では、検出された各データ・ストリームは、独立したチャネル復号化及びＣＲＣ確認処理を受ける。複数の符号化データ・パケットの受信品質を応答するために、複数のＡＣＫ／ＮＡＣＫ信号が送信機へフィードバックされる。ＳＣＷ  ＭＩＭＯとＭＣＷ  ＭＩＭＯの両方のシステムにおいて、データ・ストリームは異なるアンテナによって送信され、異なる通信リンク（すなわち、アンテナ間）を進むので、個々の空間的データ・ストリームは程度の異なるリンク状態をもつ。その結果、復調品質が個々の空間的データ・ストリームによって異なる。再送に用いるＭＩＭＯシステム中のＨＡＲＱプロセス（再送プロトコル、符号化率及び空間的処理方法など）は、ＭＩＭＯシステムにおけるアンテナ・ダイバーシチに起因して起こり得る問題に対処する必要がある。
【０００７】
したがって、上記の問題の少なくとも一つに対処しようとする再送制御手法を提供する必要性がある。
【発明の概要】
【課題を解決するための手段】
【０００８】
本発明の第１の態様によると、ＭＩＭＯ受信機で符号化データ・パケットの復号に失敗したことを示すＮＡＣＫ信号をＭＩＭＯ送信機で受信するステップと、復号に失敗したデータ・パケットの一つ以上の送信された空間的データ・ストリームに関連した信頼性測定結果を受信するステップと、信頼性測定結果を少なくとも一つの所定のしきい値と比較するステップと、信頼性測定結果と少なくとも一つの所定のしきい値との比較に基づいて、再送プロトコルを選択するステップと、を有する再送制御方法が提供される。
【０００９】
上記再送制御方法は、選択した再送プロトコルに従ってデータ・パケットを再送するステップをさらに有することができる。
【００１０】
上記再送プロトコルは、チェイス合成プロトコルまたは増加的冗長性プロトコルを含んでなり得る。
【００１１】
上記信頼性測定結果は、システム・ビットにかかわる要素とパリティ・ビットにかかわる要素を含んでなり得る。
【００１２】
上記システム・ビットにかかわる要素は、ＳＣＷ  ＭＩＭＯ送信において復号に失敗したデータ・パケットの各データ・ストリームに関連したシステム・ビットの信頼性データを含んでなることができ、上記パリティ・ビットにかかわる要素は、復号に失敗したデータ・パケットのパリティ・ビットの信頼性データを含んでなる。
【００１３】
上記再送プロトコルの選択は、システム・ビットの信頼性データがシステム・ビットのしきい値よりも高い場合は、再送データ・パケット用に増加的冗長性プロトコルを選択することを含むことができ、または、システム・ビットの信頼性データがシステム・ビットのしきい値以下である場合は、再送パケット用にチェイス合成プロトコルを選択することを含むことができる。
【００１４】
前記方法は、パリティ・ビットの信頼性データがパリティ・ビットのしきい値以下である場合は、チェイス合成プロトコルを使用した再送データ・パケットには、最初の送信に比べて低下させた符号化率を選択することをさらに含むことができ、または、パリティ・ビットの信頼性データが前記パリティ・ビットのしきい値よりも高い場合は、チェイス合成プロトコルを使用した再送データ・パケットには、最初の送信に比べて同じ符号化率を選択することをさらに含むことができる。
【００１５】
前記方法は、システム・ビットの信頼性測定結果データがシステム・ビットのしきい値よりも高い場合は、再送データ・パケットをチェイス合成プロトコルを使用した最初の送信のときと同じアンテナを介する複数の空間的データ・ストリームに分割することをさらに含むことができ、または、システム・ビットの信頼性データがシステム・ビットのしきい値よりも高い場合は、データ・パケットを前記チェイス合成プロトコルを使用した最初の送信のときとは異なるアンテナを介する複数のデータ・ストリームに分割することをさらに含むことができる。
【００１６】
再送データ・パケットの分割は、低下させた符号化率または同じ符号化率の選択後に行なうことができる。
【００１７】
上記システム・ビットにかかわる要素は、復号に失敗した各個のデータ・パケットのＭＣＷ  ＭＩＭＯ送信におけるすべてのデータ・ストリームに関連したシステム・ビットの信頼性データを含むことができ、上記パリティ・ビットにかかわる要素は、ＭＣＷ  ＭＩＭＯシステムにおける前記すべてのデータ・ストリームに関連したパリティ・ビットの信頼性データを含んでなる。
【００１８】
上記再送プロトコルの選択は、システム・ビットの信頼性データがシステム・ビットのしきい値よりも高い場合は、再送データ・パケット用に増加的冗長性プロトコルを選択することを含むことができ、または、システム・ビットの信頼性データがシステム・ビットのしきい値以下である場合は、再送パケット用にチェイス合成プロトコルを選択することを含むことができる。
【００１９】
前記方法は、パリティ・ビットの信頼性データがパリティ・ビットのしきい値以下である場合は、チェイス合成プロトコルを使用した再送データ・パケットには、最初の送信に比べて低下させた符号化率を選択することをさらに含むことができ、または、パリティ・ビットの信頼性データがパリティ・ビットのしきい値よりも高い場合は、チェイス合成プロトコルを使用した再送データ・パケットには、最初の送信に比べて同じ符号化率を選択することをさらに含むことができる。
【００２０】
上記信頼性測定結果は、復号に失敗した初期送信データ・パケットの、または復号に失敗した初期送信データ・パケットと一つ以上の再送された符号化データ・パケットの組合せの、復調された各個のシステム・ビットとパリティ・ビットのそれぞれの対数尤度比（ＬＬＲ）の大きさに基づくことができる。
【００２１】
上記信頼性測定結果は、それぞれのＬＬＲの平均の大きさに基づくことができる。
【００２２】
上記信頼性測定結果は、それぞれのＬＬＲの大きさが最も低い、最小の信頼性のシステム・ビットと最小の信頼性のパリティ・ビットに基づくことができる。
【００２３】
本発明の第２の態様によれば、ＭＩＭＯ通信システム用の送信機であり、符号化データ・パケットの復号に失敗したことを示すＮＡＣＫ信号を受信するための手段と、復号に失敗したデータ・パケットの一つ以上の送信された空間的データ・ストリームに関連した信頼性測定結果を受信するための手段と、信頼性測定結果を少なくとも一つの所定のしきい値と比較するための手段と、信頼性測定結果と少なくとも一つの所定のしきい値との比較に基づいて、再送プロトコルを選択するための手段と、を具備する送信機が提供される。
【００２４】
本発明の第３の態様によれば、ＭＩＭＯ通信システム用の受信機であり、符号化データ・パケットを受信するための手段と、復号に失敗したデータ・パケットの一つ以上の空間的データ・ストリームに関連した信頼性測定結果を作成するための手段と、前記復号に失敗したデータ・パケットの復号失敗を示すＮＡＣＫ信号と上記信頼性測定結果を上記符号化データ・パケットの送信にかかわった送信機に送信するための手段と、を具備する受信機が提供される。
【図面の簡単な説明】
【００２５】
【図１】ＳＣＷ  ＭＩＭＯシステムまたはＭＣＷ  ＭＩＭＯシステム用の送信機の機能モジュールを示す。
【図２】ＳＣＷ  ＭＩＭＯシステムによってＡＣＫ信号受信時の送信機制御モジュールの処理ステップを示す。
【図３】ＳＣＷ  ＭＩＭＯシステムによってＮＡＣＫ信号受信時の送信機制御モジュールの処理ステップを示す。
【図４】ＭＣＷ  ＭＩＭＯシステムによってＡＣＫ信号受信時の送信機制御モジュールの処理ステップを示す。
【図５】ＭＣＷ  ＭＩＭＯシステムによってＮＡＣＫ信号受信時の送信機制御モジュールの処理ステップを示す。
【図６】ＳＣＷ  ＭＩＭＯシステムにおいて、全データ・ストリームのシステム・ビットの信頼性及びデータ・パケットのパリティ・ビットの信頼性と共にＮＡＣＫ信号受信時の送信機制御モジュールのさらに詳細な処理ステップを示す。
【図７】ＭＣＷ  ＭＩＭＯシステムにおいて、データ・パケットの一つの空間的データ・ストリームのシステム・ビット及びパリティ・ビットの信頼性と共にＮＡＣＫ信号受信時の送信機制御モジュールのさらに詳細な処理ステップを示す。
【図８】ＳＣＷ  ＭＩＭＯシステムによってＮＡＣＫ信号受信時に、送信機制御モジュールが受信する信頼性情報の内容を示す。
【図９】ＭＣＷ  ＭＩＭＯシステムによってＮＡＣＫ信号受信時に、送信機制御モジュールが受信する単一のデータ・ストリームの信頼性情報の内容を示す。
【図１０】ＳＣＷ  ＭＩＭＯシステムまたはＭＣＷ  ＭＩＭＯシステム用の受信機の機能モジュールを示す。
【図１１】１６−ＱＡＭ（１６チャネル直交振幅変調）方式のＩブランチ及びＱブランチのマッピング構成を示す。
【図１２】実施例における再送方法を説明するフローチャートを示す。
【発明を実施するための形態】
【００２６】
本発明を添付の図面を参照して今から説明する。
【００２７】
以下の説明では、ＭＩＭＯシステムにおいてデータを再送する実施例を説明する。本実施例は、データを再送する際にチェイス合成プロトコルと増加的冗長性（ＩＲ）プロトコルの組合せを利用する。ＭＩＭＯシステムの送信機と受信機は、以下の実施例の詳細な説明においてそれぞれ広義に説明される。
【００２８】
送信機と受信機は、各々がそれぞれに２個の送信アンテナ、２個の受信アンテナを具備するように以下では説明されるが、本実施例は３個以上の送信アンテナ、受信アンテナを備える送信機と受信機にも適用可能であることは当業者には理解されるであろう。また、以下に説明する通信はＯＦＤＭを使用するが、その他の単一キャリア及びマルチキャリア送信技術も使用可能であることは当業者には理解されるであろう。以下の説明において、新しいデータ・ストリームとは、それ以前に送信されなかったデータ・ストリームを意味し、一方、再送データ・ストリームは、前に送信されたデータ・ストリームに基づいて再送されるデータ・ストリームを意味する。
【００２９】
図１は、直交周波数分割多重の多重入出力（ＭＩＭＯ−ＯＦＤＭ）技術を利用する送信機（１００）の機能モジュールを示す。送信機（１００）は、２進データ列（１０２）入力と受信機からのＡＣＫ／ＮＡＣＫフィードバック信号（１２２）を受信する送信機制御モジュール（１０４）を備える。送信機制御モジュールは、インタリーバ（１０８）においてインタリーブ処理を受けるデータ・ストリームを出力する。インタリーバ（１０８）は、バースト・エラーを独立したエラーに転移するように、データ・ストリームの個々のデータ・ビットを並べ替える。インタリーブされたデータ・ストリームに対して、次に、多値（Ｍ−ａｒｙ）位相偏移キーイング（ＭＰＳＫ）や多値（Ｍ−ａｒｙ）直交振幅変調（ＭＱＡＭ）方式などの各種の変調方式に基づいて、ビット対シンボル・マッピングがシンボル・マッピング・モジュール（１１０）によって実行される。インタリーブ処理と変調処理を受けたデータ・ストリームは、パイロット・シンボルを追加するパイロット挿入モジュール（１１２）によってさらに処理される。パイロット・シンボルは、ＭＩＭＯ  ＯＦＤＭにおけるチャネル推定と同期化を行なうために、受信機で使用される。パイロット・シンボル挿入後、シンボル・マッピング処理されデータ・ストリームは、次に、ベースバンド処理を行なう逆高速フーリエ変換（ＩＦＦＴ）演算モジュール（１１８）によってさらに処理される。最後に、処理された個々のデータ・ストリームは各送信アンテナ（１２０）を通じて独立に送信される。
【００３０】
以下の説明のある部分は、コンピュータ・メモリ内のデータに対する演算のアルゴリズム及び機能的または記号的表現という観点で明示的にまたは暗示的に提示される。これらのアルゴリズム記述及び機能的または記号的表現は、データ処理技術に精通した当業者が自分の研究成果の内容をその他の当業者に最も効果的に伝達するために利用される手段である。アルゴリズムは、所望の結果に導く複数のステップの首尾一貫したシーケンスとして、ここでは広義に考えられる。上記の複数のステップは、記憶、転送、合成、比較及びその他の処理を受けることが可能である、電気的、磁気的または光学的信号などの物理的量の物理的処理を要するステップである。
【００３１】
特に明記しない限り、以下から明らかなように、当然のことながら、本仕様書を通して、「選択する」、「比較する」、「決定する」、「作成する」、「生成する」、「計算する」、「出力する」などの用語を使用した説明は、コンピュータ制御システム内の物理的量として表現されたデータを処理し、コンピュータ制御システム内またはその他の情報記憶装置、送信装置または表示装置内の同じく物理的量として表現された他のデータに変換するコンピュータ制御システムの動作及び処理を意味する。
【００３２】
図２は、ＳＣＷ  ＭＩＭＯシステムによってＡＣＫ信号受信（２１０）時の送信機制御モジュール（１０４）の処理ステップ（２００）を示す。ＡＣＫ信号は、受信機から制御チャネルを介して送信機（１００、図１）へ送信される。送信機制御モジュール（１０４）は、すべての制御チャネルを監視し、ＡＣＫ信号を復号するために現在の送信間隔を使用する。ＭＩＭＯシステムのタイプ（すなわち、ＳＣＷ  ＭＩＭＯまたはＭＣＷ  ＭＩＭＯ）に応じて、送信機制御モジュール（１０４）は、異なる様式の処理を実行する。ＳＣＷ  ＭＩＭＯシステムでは、ＣＲＣ付加モジュール（２０２）において、新たに入力された２進データ列（２０１）に最初にＣＲＣが付加される。このモジュール２０２から出力されたＣＲＣを付加された２進データ列は、次に、ターボ・エンコーダ（２０４）によって符号化データに符号化される。エンコーダ（２０４）において、受信した２進データ列（２０１）に余剰データ・ビットを追加することによって追加の冗長性が与えられる。もちろん、この段階でのチャネル符号化にターボ・エンコーダ以外のチャネル・エンコーダを使用してもかまわない。ターボ・エンコーダ（２０４）から出力された符号化データは、システム情報とパリティ情報を含む。符号化データは複数の符号化パケットに分割されて、２進データ列（２０１）の再送が要求される場合に備えて送信機バッファ（２０６）に格納される。複数の符号化パケットの一つは、システム情報とあるパリティ情報を含み、最初の送信時に送信され、それぞれ異なるパリティ情報を含む残りの符号化パケットは再送が要求された場合に使用される。
【００３３】
次段の空間的処理モジュール（２０８）において、モジュール（２０４）から出力された、システム情報とあるパリティ情報を含む符号化データ・パケットは、空間的処理を受け、装備した送信アンテナ（ＮＴ）の数に一致した複数の空間的データ・ストリーム（２１４）に分割される。次に、複数の空間的データ・ストリーム（２１４）は、インタリーブ処理を行なうインタリーバ（１０８、図１）へ送られる。
【００３４】
図３は、ＳＣＷ  ＭＩＭＯシステムによってＮＡＣＫ信号受信（３０２）時の送信機制御モジュール（１０４）の処理ステップ（３００）を示す。ＮＡＣＫ信号と共に、すべての空間的データ・ストリームのシステム・ビットの信頼性（３０４）と前回送信したデータ・パケットのパリティ・ビットの信頼性（３０８）が受信機から受信される。システム・ビットの信頼性に基づいて、送信機制御モジュール（１０４）は、先ず、再送すべきパケットがＩＲデータ・パケットか、チェイス・データ・パケットかを判定する（３０６）。データ・パケットを再送するためにチェイス合成プロトコルが選択される場合（３０６）、送信機制御モジュール（１０４）は、パリティ・ビットの信頼性に基づき、チェイス・データ・パケットの符号化率を調整する（３０７）。前段の処理ステップ（３０６、３０７）に基づき、送信機制御モジュール（１０４）は、選択された符号化率に応じて、ＨＡＲＱバッファから再送用の符号化データ・パケット（すなわち、システム・ビットとパリティ・ビットの両方を含むチェイス・データ・パケットまたはパリティ情報のみを含むＩＲデータ・パケット）を取り出す（３１０）。チェイス合成プロトコルまたはＩＲプロトコルのどちらが再送に使用されるかにより、異なる符号化パケットが送信機バッファから取り出されて送信される。例えば、チェイス・データ・パケット（チェイス合成プロトコルによって送信されるデータ・パケット）はシステム・ビットとパリティ・ビットの両方を含むが、ＩＲデータ・パケット（増加的冗長性プロトコルによって送信されるデータ・パケット）はパリティ・ビットのみを含む。通常、チェイス・パケットは、単純に、符号化率が変わる可能性がある初期送信の繰返しである。一方、ＩＲデータ・パケットは、初期送信と比較して異なるパリティ・ビットを通常含む。再送時の、再送プロトコル（ＩＲまたはチェイス・データ・パケット）の選択とチェイス・データ・パケットに含まれるパリティ・ビットの数は、チャネル状態に基づいて選択することができる。
【００３５】
取り出された符号化データ・パケット（チェイス・データ・パケットまたはＩＲデータ・パケット）は、次に、ＮＴ個のアンテナ（３１２）数に分割する空間的処理として、データ・パケットを複数の空間的データ・ストリーム（３１４）に分割する空間的処理モジュール（３１２）へ送られる。これらのデータ・ストリーム（３１４）は、インタリーバ（１０８、図１）でインタリーブ処理を受ける。
【００３６】
図４は、ＭＣＷ  ＭＩＭＯシステムにおいて前に送信された２進データ列の符号語の一つについてＡＣＫ信号を受信（４１０）時の送信機制御モジュール（１０４）の処理ステップ（４００）を示す。ＳＣＷ  ＭＩＭＯシステムと同様に、ＡＣＫ信号を受信（４１０）時には、モジュール（１０４）は現在の送信間隔で入力２進データ列（４０１）を受け取る。２進データ列（４０１）は、ＣＲＣ付加モジュール（４０２）においてＣＲＣを付加され、エンコーダ（４０４）によってさらに処理される。モジュール２０４から出力された複数の符号化データ・パケットは、２進データ列の再送が要求される場合に備えて、ＨＡＲＱバッファ（４０６）に格納される。システム情報とあるパリティ情報の両方を含むチェイス・データ・パケットが、通常、初期送信では送信される。ＳＣＷ  ＭＩＭＯシステムと異なるのは、次段の空間処理（４０８）において、２進データ列の分割は行なわれず、番号（４０７）を付けた、出力された符号化データ・パケットが一つの空間的データ・ストリームを構成するために使用される。ＭＣＷ  ＭＩＭＯ送信用のこの空間的データ・ストリーム（４０７）とその他のデータ・ストリーム（４１０）と、さらにＮＡＣＫ信号を受信する一つ以上のその他の符号語の信頼性情報（４１２）が、空間的処理を行なう空間的処理モジュール（４０８）へ渡される。空間的処理を受けた符号化パケット（４１４）は、インタリーブ処理のために送られる。さらに、ＡＣＫ信号に応じた２進データ列に使用されるアンテナとＮＡＣＫ信号に応じた２進データ列に使用されるアンテナとの間で行なわれるアンテナ切り替えが実行される。
【００３７】
図５は、ＭＣＷ  ＭＩＭＯシステムにおいて前に送信された２進データ列の符号語の一つについてＮＡＣＫ信号を受信（５０２）時の送信機制御モジュール（１０４）の処理ステップ（５００）を示す。ＮＡＣＫ信号と共に、当該２進データ列のシステム・ビットの信頼性（５０４）とパリティ・ビットの信頼性（５０８）の両方が受信機から受信される。システム・ビットの信頼性（５０４）に基づいて、送信機制御モジュール（１０４）は、再送プロトコルを、すなわち、再送されるべきパケットがＩＲデータ・パケットか、チェイス合成データ・パケットかを選択する（５０６）。チェイス・データ・パケットが再送されるべく選択されると、送信機制御モジュール（１０４）は、当該２進データ列のパリティ・ビットの信頼性（５０８）に基づき、チェイス・データ・パケットの符号化率を調整する（５０７）。その後、（５１０）において、送信機制御モジュール（１０４）は、（５０６）における選択に基づき、対応する符号化データ・パケット（チェイス・データ・パケットまたはＩＲデータ・パケット）をＨＡＲＱバッファから取り出す。ＳＣＷ  ＭＩＭＯシステムと異なるのは、次段の空間処理（５０８）において、取り出された符号化パケットの分割は行なわれず、（５１０）においてＨＡＲＱバッファから取り出された符号化データ・パケットが一つの空間的データ・ストリームを構成するために使用される。この取り出されたデータ・パケット（空間的データ・ストリーム）は、次に、必要に応じてアンテナ切り替えを行なうために、空間的処理（５０８）に送られる。空間的処理においては、ＭＣＷ  ＭＩＭＯ送信のためのその他の空間的データ・ストリーム（５１１）と、その他の符号語についての一つ以上のＮＡＣＫ信号が受信されたときには、それらの各々の信頼性情報（５１２）も（５０８）における処理に入力される。空間的処理を受けたデータ列（５１４）は、インタリーブ処理のために送られる。
【００３８】
図６は、ＳＣＷ  ＭＩＭＯシステムにおいて、各空間的データ・ストリームのシステム・ビットの信頼性（６０４）と符号化データ・パケットのパリティ・ビットの信頼性（６０８）と共にＮＡＣＫ信号を受信（６０２）時の送信機制御モジュール（１０４、図３）のさらに詳細な処理ステップ（６００）を示す。ＮＡＣＫ信号を受信（６０２）時には、送信機制御モジュール（１０４、図３）は、各アンテナの空間的データ・ストリーム（各空間的データ・ストリーム）についての２進データ列のシステム・ビットの信頼性情報（６０４）と２進データ列（符号化データ・パケット）についてのパリティ・ビットの信頼性情報（６０８）も受信する。システム・ビット及びパリティ・ビットの信頼性は、詳しく後述するが、対数尤度比（ＬＬＲ）の大きさによって表わされる。適切な送信プロトコル（ＩＲまたはチェイス合成データ・パケット）を選択するために（６１４）、各アンテナごとに受信したシステム・ビットの信頼性（６０４）は、モジュール（１０４、図３）において、各アンテナごとのシステム・ビットの所定のしきい値と比較される（６１０）。しきい値は、経験的に決まる正の値である。
【００３９】
各空間的データ・ストリームについてのシステム・ビットのＬＬＲの大きさが、システム・ビットの所定のしきい値よりも高い場合には、これは各データ・ストリームのシステム・ビットはよい品質で復調されたことを意味するので、 初期の復号失敗は、パリティ・ビットの乱れに起因する可能性が高い。その結果、送信機制御モジュール（１０４）は、ＩＲデータ・パケットを再送するためのＩＲプロトコルを選択する（６１２）。再送プロトコルの選択のためにしきい値との比較を利用する概念は、パリティ・ビットの信頼性よりむしろシステム・ビットの信頼性を基にする。これは、受信したシステム・ビットは復号されるべきそのデータ列の内容であるのに対して、パリティ・ビットはシステム・ビットの復号を助ける目的だけのための冗長性を与えるために使用されるからである。パリティ・ビットのみを含むＩＲデータ・パケットは、再送のための符号化利得を得るためにより多くの冗長性を提供することになる（６１２）。ＩＲデータ・パケットは、受信不成功であった前回の送信と比較して同じアンテナへ分割されるか、または異なるアンテナへ分割されるかにかかわらず、データ・パケットをＮＴ個の空間的データ・ストリームに分割することによる空間的処理をさらに受ける（６３０）。処理されたＩＲデータ・パケットは、しかるべく、インタリーブ処理（６４４）のために送信される。
【００４０】
一方、一つ以上の空間的データ・ストリームについてのシステム・ビットのＬＬＲの大きさがシステム・ビットの所定のしきい値以下である場合には、受信時に２進データ列のシステム・ビットが確実に受信されないために、復号に失敗した可能性が高い。したがって、エネルギー利得を与えることによってシステム・ビットの送信品質を高めるために、システム・ビットとパリティ・ビットの両方を含むチェイス・データ・パケットが再送のために用意される（６１８）。
【００４１】
チェイス・データ・パケットを再送するときには（６１８）、送信機制御モジュール（１０４、図３）は、その後の再送に適用する適切な符号化率を決定するために、データ・パケットのパリティ・ビットの信頼性をパリティ・ビットの一つの所定の信頼性しきい値と比較する（６２０）。パリティ・ビットの信頼性の計算については、詳しく後述する。システム・ビットの信頼性しきい値と同様に、パリティ・ビットのしきい値も経験により決まる正の値である。パリティ・ビットの信頼性がパリティ・ビットのしきい値以下である場合には、これはパリティ・ビットがひどく乱されているために復号のための十分な冗長性を提供できないことを意味するので、システム・ビットの復号を確実にするようにより多くの冗長性を提供するように、後続の再送ではより多数のパリティ・ビットが送信される。つまり、符号化率を下げたチェイス・データ・パケットが、空間的処理のために選択される（６２４）。例えば、前回の不成功の送信で使用された１／２の符号化率の代わりに、１／３の符号化率が空間的処理のために使用され得る。チェイス・データ・パケットの符号化率を下げた後（６２４）、送信機制御モジュール（１０４、図３）は、受信不成功であった前回の送信と比較して同じアンテナへ分割を行なうか（６３０）、または異なるアンテナへ分割を行なうかにかかわらず、選択されたチェイス・データ・パケットをＮＴ個の空間的データ・ストリームに分割する空間的処理を実行する（６３０）。最後に、分割されたデータ・パケットは、インタリーブ処理（６４４）のために、送信機制御モジュール（１０４、図３）を出る。
【００４２】
さらに、比較（６２２）において、データ・パケットのパリティ・ビットの信頼性がパリティ・ビットの所定のしきい値より大きい場合には、モジュール（１０４、図３）は、一つ以上の空間的データ・ストリームのシステム・ビットの信頼性がシステム・ビットの所定のしきい値よりも高いかどうかをさらにチェックする（６２８）。一つ以上の空間的データ・ストリームのシステム・ビットの信頼性がシステム・ビットの所定のしきい値よりも高い場合には、システム・ビットが前回の不成功の送信とは異なるアンテナを介して送信されるように、データ・パケットは分割される（６３４）。システム・ビット送信用のこのアンテナ切り替えの目的は、個々の空間的データ・ストリームについてアンテナのダイバーシチを提供することである。いずれの空間的データ・ストリームのシステム・ビットの信頼性もシステム・ビットの所定のしきい値よりも高くない場合には、アンテナ切り替えは行なわずに、データ・パケットはＮＴ個のデータ・ストリームに分割される（６３０）。アンテナを切り替えて（６３４）、またはアンテナを切り替えずに（６３０）、分割された空間的データ・ストリームは、インタリーブ処理（６４４）のために渡される。
【００４３】
図７は、ＭＣＷ  ＭＩＭＯシステムにおいて、一つの空間的データ・ストリーム（符号化データ・パケット）のシステム・ビットの信頼性（７０４）とパリティ・ビットの信頼性（７０８）と共にＮＡＣＫ信号を受信（７０２）時の送信機制御モジュール（１０４、図４）のさらに詳細な処理ステップ（７００）を示す。ＭＣＷ  ＭＩＭＯシステムの場合には、図７の各ステップ（７００）は、図６に示したようなすべての空間的データ・ストリームに対してではなく、一つの空間的データ・ストリームに対して適用される。ステップ（７０４）において、送信機制御モジュール（１０４、図４）は、ＮＡＣＫ信号（７０２）を伴う単一のデータ・ストリームについてのシステム・ビットの信頼性を受信する。次のステップ（７０８）において、送信機制御モジュール（１０４）は、前記データ・ストリームのパリティ・ビットの信頼性を受信する。これは 、ＳＣＭ  ＭＩＭＯシステムの場合の図６のステップ６０８に示したような複数のデータ・ストリームからなるデータ・パケットのパリティ・ビットの信頼性情報とは異なる。
【００４４】
次のステップ（７１０）では、適切な再送プロトコルを選択するために、システム・ビットの信頼性が、システム・ビットの所定のしきい値と比較される。比較（７１４）の結果は、ＩＲデータ・パケットを再送する（７１２）またはチェイス・データ・パケットを再送する（７１８）のいずれかを選択することになる。比較（７１４）において、このデータ・ストリームのシステム・ビットの信頼性がシステム・ビットのしきい値以上である場合は、さらに、当該データ・ストリームのパリティ・ビットの信頼性が、パリティ・ビットの所定のしきい値と比較される（７２０）。比較（７２０）の結果（７２２）は、再送では符号化率を下げる（７２４）または符号化率を維持するのいずれかを選択することになる。さらに、ステップ（７３０）において、前記データ・ストリーム （チェイス・データ・パケットまたはＩＲ合成データ・パケットのいずれか）は、その他の符号語からの空間的データ・ストリーム（７０６）と一緒に空間的処理（７３０）を受ける。空間的処理は、前記データ・ストリームの送信用のアンテナをＡＣＫを受信した他のデータ・ストリームの送信用アンテナに切り替えることによって実行される。空間的データ・ストリームは、次に、インタリーブ処理（７４４）のために渡される。
【００４５】
図８は、ＳＣＷ  ＭＩＭＯシステムによってＮＡＣＫ信号を受信時に、上記の例における送信機制御モジュール（１０４、図３）が受信する信頼性情報（８００）の内容を示す。上記情報（８００）は、すべての空間的データ・ストリーム｛すなわち、データ・ストリーム１（８０２）〜ＮＴ（８０４）｝についてのシステム・ビットの信頼性とデータ・パケットのパリティ・ビットの信頼性（８０６）を含んでなる。信頼性情報（８０２、８０４、８０６）の全部が、ＮＡＣＫ信号と一緒に制御チャネル上で送信される。送信機側では、送信機は制御チャネルを監視し、信頼性情報（８０２、８０４、８０６）とＮＡＣＫ信号の両方を復号する。
【００４６】
図９は、上記の例におけるＭＣＷ  ＭＩＭＯシステムにおいて受信機から送信機へフィードバックされるＮＡＣＫ信号を伴う信頼性情報（９００）の内容を示す。信頼性情報（９００）は、すべての空間的データ・ストリーム｛すなわち、データ・ストリーム１（９０２、９０４）〜ＮＴ（９０６、９０８）｝についてのシステム・ビットとパリティ・ビットの信頼性を含んでなる。
【００４７】
図１０は、ＭＩＭＯ−ＯＦＤＭシステムの受信機１０００の機能ブロックを示す。受信機１０００は、２個の受信アンテナ１００２を有する。もちろん、受信機１００２は、複数（ＮＲ個）の受信アンテナを備えるように拡張可能である。
【００４８】
受信機１０００において、受信された信号は、ＦＦＴを実行するＮ−ｐｉｎｔ高速フーリエ変換（ＦＦＴ）モジュール１００４へ渡される。モジュール１００４から出力されたデータは、次に、ＭＩＭＯ検出及び空間的処理モジュール１０１２とチャネル推定モジュール１０２２へ渡される。受信データ・ストリームが受けたチャネル・フェーディング利得が、受信データに組み込まれているパイロット信号を使用して、チャネル推定モジュール１０２２において推定される。チャネル推定モジュール１０２２において得られた推定チャネル利得は、検出を助けるためにモジュール１０１２へ渡される。本実施例では、受信アンテナ１００２で受信されたデータ・ストリームはＮＴ個の送信アンテナから送信されたＮＴ個の独立した信号からなるので、モジュール１０１２のＭＩＭＯ検出機能は、受信データ・ストリームを個々の送信データ・ストリームに分離する役割を担う。モジュール１０１２の空間的処理機能は、送信機制御モジュール１０４で実行された可能性があるアンテナ切り替えを元に戻すものである。
【００４９】
モジュール１０１２において受信した個々のデータ・ストリームを検出し、切り替えを元に戻した後、デマッピング・モジュール１０１４において各データ・ストリームのビット対シンボル・デマッピングが行なわれ、シンボル列をデータ・ビットの列に変換する。次に、デマッピング・モジュール１０１４の個々のデータ・ストリームの出力データ・ビットのデインタリーブ処理が、デインタリーブ処理モジュール１０１８によって実行される。その後、デインタリーブ処理モジュール１０１８の出力データ・ストリームは、ＨＡＲＱ制御モジュール１０２０へ渡される。
【００５０】
システムがＳＣＷ  ＭＩＭＯシステムであるか、またはＭＣＷ  ＭＩＭＯシステムであるかによって、ＨＡＲＱ制御モジュール１０２０は異なる動作をする。ＳＣＷ  ＭＩＭＯシステムの場合には、ＨＡＲＱ制御モジュール１０２０は、先ず、複数の空間的データ・ストリームを一つのデータ・パケットに多重化する。次に、データ・パケットが新たに送信されたパケットである場合は、データ・パケットは復号され、ＣＲＣ確認が行なわれる。または、データ・パケットが再送されたパケットである場合は、データ・パケットは前に受信したデータ・パケットと合成され、復号され、ＣＲＣ確認が行なわれる。一つの復号されたデータ・パケットと、それに加えて、そのデータ・パケットがＣＲＣ確認をパスすればＡＣＫ信号、またはそのデータ・パケットがＣＲＣ確認で失格すればＮＡＣＫ信号がＨＡＲＱ制御モジュール１０２０から出力される。ＭＣＷ  ＭＩＭＯシステムの場合は、ＳＣＷ  ＭＩＭＯシステムとは異なり、受信した複数のデータ・ストリームを多重化することは実行されない。その代わり、受信した複数のデータ・ストリームの各々が、その他のデータ・ストリームとは独立に、前記データ・ストリームが新たに送信されたデータ・ストリームである場合は、復号され、ＣＲＣ確認が行なわれ、または前に受信したデータ・ストリームと合成後に復号され、ＣＲＣ確認が行なわれる。複数のデータ・パケットと複数のＡＣＫ／ＮＡＣＫ信号（一つのデータ・パケットにつき一つずつの）が、ＨＡＲＱ制御モジュール１０２０から出力される。
【００５１】
ＳＣＷ  ＭＩＭＯ及びＭＣＷ  ＭＩＭＯシステムのシステム・ビットとパリティ・ビットの信頼性情報についての比較ステップ（図６における６１０／６１４、６２０／６２２／６２８と図７における７１０／７１４、７２０／７２２）に関して、各々の上記の例に沿って、図１１と図１２を参照してここでさらに詳細に説明する。
【００５２】
各受信アンテナによって受信された信号は、すべての送信アンテナからの複数の送信データ・ストリームからなるので、ＭＩＭＯ受信機（図示せず）は、線形最小平均二乗誤差（ＬＭＭＳＥ）検出手法などの周知のＭＩＭＯ検出手法を用いることにより、受信した複数のデータ・ストリームを独立した送信データ・ストリームに分離する。ＭＩＭＯ検出後、受信機は、データ・ストリームをデマッピングし、シンボル列をソフトビット列に変換する。次に、ソフトビット列は、復号を行なうチャネル・デコーダへ渡される。デマッピング機能の出力は、ＬＬＲ＝ｌｏｇ（Ｐ（ｕ＝１）／Ｐ（ｕ＝−１））として定義されるＬＬＲである。ここで、Ｐ（ｘ）は、イベントｘが発生する可能性を示し、ｕはバイナリー・ビットを示す。
【００５３】
ＬＬＲ値の計算について１６−ＱＡＭを例にとり説明する。図１１を参照すると、一つの１６−ＱＡＭシンボルは４ビットを含み、ｕ１、ｕ２、ｕ３、及びｕ４によって表現される。各ビットのＬＬＲは、式１〜４に従って計算される。
【数１】
2010517418.tif 000003
【００５４】
2010517418.tif 000004
【００５５】
2010517418.tif 000005
【００５６】
複数のシステム・ビットとパリティ・ビットが、単一の受信データ・ストリーム中に存在することができ、システム・ビットとパリティ・ビットの信頼性を表現するための（式１〜４に基づいた）計量は、上記の単一の空間的ストリーム中で送信されたすべてのシステム・ビットとパリティ・ビットの信頼性を表わす。さらに、再送が発生するときには、再送されたデータ・ストリームと最初に送信されたデータ・ストリームが合成されて復号される。したがって、上記の計量は、合成した結果を表わすことになる。本実施形態では、システム・ビットとパリティ・ビットの信頼性を測定するために、二つの方法を使用することができる。
【００５７】
第１の方法によれば、システム・ビットとパリティ・ビットの信頼性は、下記の式５によって与えられる。
【数２】
2010517418.tif 000006
【００５８】
2010517418.tif 000007
【００５９】
第２の方法によれば、最小の信頼性のシステム・ビットまたはパリティ・ビットが、データ・ストリームの個々のシステム・ビットまたはパリティ・ビットの信頼性を特徴付けるために使用される。
【数３】
2010517418.tif 000008
【００６０】
ＭＣＷ  ＭＩＭＯシステムでは、各空間的データ・ストリームは一つの符号語（符号化データ・パケット）に相当するので、システム・ビットとパリティ・ビットの信頼性は、式５または式６のいずれかによって計算される。ＳＣＷ  ＭＩＭＯシステムの場合には、一つの空間的データ・ストリームのシステム・ビットの信頼性は、式５または式６のいずれかによって計算される。しかし、ＳＣＷ  ＭＩＭＯシステムでは、データ・パケットのパリティ・ビットの信頼性は下記の式７によって計算される。
【数４】
2010517418.tif 000009
【００６１】
2010517418.tif 000010
【００６２】
図１２は、一実施例における再送制御方法を説明するフローチャート１２００を示す。ステップ１２０２において、ＭＩＭＯ受信機で符号化データ・パケットの復号に失敗したことを示すＮＡＣＫ信号がＭＩＭＯ送信機によって受信される。ステップ１２０４では、復号に失敗したデータ・パケットの一つ以上の空間的データ・ストリームに関連付けられた信頼性測定結果が受信される。ステップ１２０６において、信頼性測定結果が少なくとも一つの所定のしきい値（システム・ビットのしきい値またはパリティ・ビットのしきい値）と比較される。ステップ１１０８では、信頼性測定結果と少なくとも一つの所定のしきい値との比較に基づいて、再送プロトコルが選択される。
【００６３】
上記の実施形態は、システム・ビットとパリティ・ビットの復調品質に基づいて、再送プロトコル（すなわち、ＩＲまたはチェイス合成プロトコル）、符号化率、及び空間的処理を制御することにより受信性能を向上させようとするものである。あらゆる状況においてほかよりも優れている唯一の再送プロトコルというものはないので、変化する状況に適した適応的な再送制御方法を実施することが望ましい。
【００６４】
ＭＩＭＯシステムでは、受信したデータ・パケットの復号エラーは、初期送信におけるシステム情報とパリティ情報の重度の破損により発生する可能性がある。上記の例において再送が要求されるとき、復号エラーの原因に応じて、復号性能は適用される再送プロトコルにより異なるであろう。復号エラーがシステム情報の破損に主に起因する場合、より多くのパリティ情報の再送が望ましい。これは、再送されたパリティ情報は、システム情報の復号を適切に助けるために、最初に送信したデータ・パケットと符号合成されるからである。しかし、初期送信で受信したシステム情報が信頼できないとすれば、より多くのパリティ情報により与えられた符号化利得がわずかな助けにしかならない。したがって、システム情報の送信品質を高めるために、チェイス・データ・パケットが送信されることになる。他方、初期の不成功の送信においてパリティ情報がひどく歪曲され、その結果、信頼できないまたは不十分なパリティ情報しか提供されずに復号エラーを引き起こす場合には、エネルギー利得を与えるチェイス・データ・パケットを再送するよりもむしろ、符号化利得をもたらすより多くのパリティ・ビットを再送するほうがより有益である。
【００６５】
具体的な実施形態として示した本発明に対する多様な変形及び／または修正が、広義に説明された本発明の精神または範囲を逸脱しない限りなされ得ることは当業者には十分理解されるであろう。本実施形態は、したがって、あらゆる点で例示的であり、非限定的であると見なされるべきである。
【図１】
2010517418.tif 000011
【図２】
2010517418.tif 000012
【図３】
2010517418.tif 000013
【図４】
2010517418.tif 000014
【図５】
2010517418.tif 000015
【図６】
2010517418.tif 000016
【図７】
2010517418.tif 000017
【図８】
2010517418.tif 000018
【図９】
2010517418.tif 000019
【図１０】
2010517418.tif 000020
【図１１】
2010517418.tif 000021
【図１２】
2010517418.tif 000022
【国際調査報告】
2010517418.tif 000023
2010517418.tif 000024